(57)【要約】【課題】枚葉紙材料の供給を選択的に阻止する機構を備える枚葉紙給紙装置において、サッカーを移動させるカムおよびカム従動部の摩損を低減する。【解決手段】枚葉紙材料に接触してそれを取り出すサッカー２０が取り付けられたサッカーバー１６が、主軸１２に、主軸１２の揺動軸線１４の周りに揺動可能に連結されており、カム従動部４０がカムに接触して駆動されることによって揺動させられる。カム従動部４０を支持するカム従動部アーム４２は、揺動軸線１４を中心として回転可能なブロック４４に取り付けられ、ブロック４４は、サッカーバー１６に固定された止め具３１に調節部材３０を介して連結されている。調節部材３０は、サッカーバー１６が揺動させられた時に、サッカー２０が枚葉紙材料に接触する位置と、接触しない位置に移動可能である。【選択図】  図１
2004338955.tif 000002
【特許請求の範囲】
【請求項１】
枚葉紙材料パイルを貯蔵する枚葉紙材料マガジンと、枚葉紙材料と接触する少なくとも１つのサッカー（２０）を含み、揺動軸線（１４）を有するサッカーバー装置と、第１の位置と第２の位置になる調節部材（３０）とを有し、前記サッカーは、前記調節部材（３０）が前記第１の位置にある時、前記サッカー（２０）が前記枚葉紙材料と接触する第１の角度位置から、前記サッカー（２０）が前記枚葉紙材料パイルから前記枚葉紙材料を取り出すように所定の角度だけ前記揺動軸線（１４）を中心として揺動し、前記サッカー（２０）は、前記調節部材（３０）が前記第２の位置にある時、前記サッカー（２０）が前記枚葉紙材料と接触しない第２の角度位置から前記揺動軸線（１４）を中心として揺動する枚葉紙材料給紙装置。
【請求項２】
前記サッカー（２０）を運転時に揺動させるカム従動部（４０）を有する、請求項１に記載の枚葉紙材料給紙装置。
【請求項３】
前記カム従動部（４０）は、前記調節部材（３０）が前記第１の位置にあるか前記第２の位置にあるかに関係なく、前記サッカー（２０）を移動させる、請求項２に記載の枚葉紙材料給紙装置。
【請求項４】
前記サッカーバー装置（１０）は、前記揺動軸線（１４）を有する主軸（１２）と、前記揺動軸線（１４）に平行であるがずれて延びているサッカーバー軸線を有するサッカーバー（１６）を含んでいる、請求項１に記載の枚葉紙材料給紙装置。
【請求項５】
前記調節部材（３０）は、前記揺動軸線（１４）と前記サッカーバー（１６）の間の角度を変化させる、請求項１に記載の枚葉紙材料給紙装置。
【請求項６】
前記カム従動部（４０）によって駆動されて前記揺動軸線（１４）を中心として回転可能であり、前記調節部材（３０）を介して前記サッカーバー装置（１０）と連結されたブロック（４４）を有する、請求項２に記載の枚葉紙材料給紙装置。
【請求項７】
前記サッカーバー装置（１０）から延び、前記調節部材（３０）がばね（３２，３４）を介して取り付けられた止め具（３１）を有する、請求項４に記載の枚葉紙材料給紙装置。
【請求項８】
前記調節部材（３０）が前記第２の位置にある時に前記サッカーへの負圧を停止する負圧装置（２２）を有する、請求項１に記載の枚葉紙材料給紙装置。
【請求項９】
貯蔵された前記枚葉紙材料の下面に部分的にアクセスするのを可能にするトレーを有する、請求項１に記載の枚葉紙材料給紙装置。
【請求項１０】
枚葉紙を取り出す方法において、
第１の運転モードの時に、サッカーバー装置を、サッカーが枚葉紙材料と接触し当該枚葉紙材料を搬送する第１の角度位置から所定の角度だけ回転させるステップと、阻止を実行する第２の運転モードの時に、前記サッカーバー装置を、前記サッカーが前記枚葉紙材料と接触しない第２の角度位置から回転させるステップとを有することを特徴とする方法。
【請求項１１】
前記サッカーへの負圧を、前記第１の運転モードの時には供給し、前記第２の運転モードの時には停止する、請求項１０に記載の方法。
【発明の詳細な説明】
【技術分野】
【０００１】
本発明は、例えば、複数の折丁、複数の個別枚葉紙、または複数の入紙の形態の枚葉紙材料をパイルから供給する枚葉紙材料給紙装置、例えばマガジン給紙装置に関する。
【背景技術】
【０００２】
例えば、回転するサッカーのサッカー軸によって平坦な製品をパイルの底から供給する装置が特許文献１に開示されている。
【０００３】
枚葉紙パイルの、一番上の枚葉紙を取り出す昇降サッカーが特許文献２に開示されている。複数の部分からなり、昇降サッカーを案内する従動カム伝動装置のリンクを、調節輪によって、昇降サッカーの昇降が変化するように変化させることができ、それによって、昇降サッカーから枚葉紙への距離を変化させることができる。
【０００４】
枚葉紙を上から供給する枚葉紙給紙装置の枚葉紙分離サッカーのサッカーノズルをブロックする、接触脚駆動装置に取り付けられた押さえ部を含む装置が特許文献３に開示されている。
【特許文献１】米国特許第６２１３４５７号明細書
【特許文献２】米国特許第５９８４２９６号明細書
【特許文献３】米国特許第５０９４４３９号明細書
【発明の開示】
【発明が解決しようとする課題】
【０００５】
枚葉紙の供給を阻止する阻止機構を備えるのが、多くの場合好ましい。従来技術の、幾つかのカム伝動装置では、カムから完全にまたはほとんど完全にカム従動部を引き離す、ロックバーのような阻止機構が働いている。カム従動部は、給紙工程の再開時に、再び、カムと持続的に接触した状態にされる。しかし、このように引き離しと当接が繰り返されることによって、カムのカム表面および給紙装置の他の部材に摩損が生じる場合がある。
【０００６】
本発明の目的は、カムおよびカム従動部の摩損が低減される、阻止機構を備える枚葉紙給紙装置を提供することにある。本発明の、他の、または追加の目的は、簡単に切り替えることができる有効な阻止機構を有する枚葉紙材料給紙装置を提供することにある。
【課題を解決するための手段】
【０００７】
本発明による枚葉紙材料給紙装置は、枚葉紙材料パイルを貯蔵する枚葉紙材料マガジンと、枚葉紙材料と接触する少なくとも１つのサッカーを含み、揺動軸線を有するサッカーバー装置と、第１の位置と第２の位置になり、揺動軸線を中心としてサッカーバー装置を揺動させる調節部材とを含み、サッカーは、調節部材が第１の位置にある時には、サッカーが枚葉紙材料と接触する第１の角度位置から、枚葉紙がサッカーによってパイルから取り出されるように、揺動軸を中心として所定の角度だけ揺動し、調節部材が第２の位置にある時には、サッカーが枚葉紙材料と接触しない第２の角度位置から、揺動軸を中心として揺動する。
【０００８】
揺動角度の位相位置を変化させる調節部材を備えることによって、簡単に切り替えることができる有効な阻止モードを枚葉紙材料給紙装置に設けることができる。
【０００９】
サッカーは、調節部材が第２の位置にある時、前述の所定の角度だけ再び揺動させることができる。調節部材は、サッカーバー装置とカム従動部の間において切り替えられるのが好ましく、この場合、サッカーのカム従動部が、前述の所定の角度だけ移動させられる。
【００１０】
カム従動部を制御するカムとカム従動部は、調節部材が第１の位置にあるか第２の位置にあるかに関係なく、互いに接触しままであるのが好ましい。
【００１１】
サッカーバー装置は、揺動軸線を有する主軸を含むのが好ましく、揺動軸線に平行だがずれて配置されたサッカーバー軸線を有するサッカーバーを有することができる。この場合、揺動軸線とサッカーバー軸線の間の角度が調節部材によって変えられるのが好ましい。
【００１２】
カムによってカム従動部を介して駆動されるブロックを、調節部材を介してサッカーバーと連結することができる。
【００１３】
調節部材が保持ばねによって取り付けられた止め具がサッカーバーから延びていてよい。
【００１４】
調節部材が第２の位置にある時、負圧装置によってサッカーへの負圧を停止させてもよい。
【００１５】
給紙装置は、枚葉紙材料をパイルの下面から引き出す給紙装置であってよい。
【００１６】
本発明による、枚葉紙を取り出す方法は、第１の運転モードの時、サッカーバー装置を、サッカーが枚葉紙材料と接触し枚葉紙材料を搬送する第１の角度位置から所定の角度だけ揺動させるステップと、阻止を実行する第２の運転モードの時、サッカーバー装置を、サッカーが枚葉紙材料と接触しない第２の角度位置から揺動させるステップを含んでいる。
【００１７】
第１の運転モードの時に、サッカーに負圧を接続することができ、この負圧は第２の運転モードの時には停止させることができる。
【発明を実施するための最良の形態】
【００１８】
図１は、本発明によるサッカーバー装置１０の斜視図である。主軸１２が、枚葉紙材料給紙装置のハウジング内に回転可能に支持され、揺動軸線１４を形成している。サッカーバー１６が連結部材１８を介して主軸１２と連結されている。連結部材１８は、揺動軸線１４を中心として揺動可能であるが、サッカーバー１６に剛に連結されている。
【００１９】
サッカーバー１６は、管接続部を介して負圧装置２２と接続された、軸方向に互いに間隔をおかれた複数のサッカー２０を含んでいる。サッカー２０への負圧の供給を制御する制御器２４が負圧装置２２と接続されている。
【００２０】
図２にも示されている駆動されるブロック４４が主軸１２を中心として自由に回転可能であり、変位部４５（図２）を含んでいる。変位部４５と、サッカーバー１６に剛に連結された止め具３１の間に、２つのばね３２，３４によって止め具３１に取り付けられた調節部材３０がある。第１の位置において、調節部材３０は変位部４５を止め具３１の近くに保ち、第２の位置において、調節部材３０はばね３２，３４を圧縮し、変位部４５を止め具３１から押し離す。このようにして、主軸１２とサッカーバー１６の間の角度を調節部材３０によって変えることができる。
【００２１】
調節部材３０の位置とは関係なく、カム従動部４０を支持するカム従動部アーム４２をカムによって駆動することができ、枚葉紙材料給紙装置のハウジングに取り付けられた保持ばね４８にカム従動部アーム４２によって抗力が加えられる。
【００２２】
カム従動部アーム４２は、ブロック４４を、主軸１２を中心として回転させ、それによってサッカーバー１６を止め具３１を利用して移動させ、それによりサッカー２０を移動させるように駆動する。
【００２３】
図３は、変位部４５と止め具３１が互いに近づけられた位置にある時、調節部材３０が第１の位置にある場合の、サッカー２０の、カム伝動による移動を示している。制御器２４は、サッカー２０に負圧をかける状態にあり、その結果、枚葉紙材料パイル６０の、一番下の枚葉紙６６を下方に引っ張るように吸着作用が及ぼされている。枚葉紙材料パイル６０はトレー７０上に載っており、前方の案内部７２と背面保持部７４を含んでいる。
【００２４】
図４は、変位部４５と止め具３１が互いに押し離された位置にある時、調節部材３０が第２の位置、すなわち阻止位置にある場合の、サッカー２０の、カム伝動による移動を示している。この場合、調節器２４は調節部材３０を動作させ、負圧装置２２を停止させている。サッカー２０は再び揺動するが、枚葉紙６６を取り出すことはない。カムとカム従動部４０は接触したままに保つことができ、それによって、摩損が低減される。
【図面の簡単な説明】
【００２５】
【図１】サッカーバー装置の斜視図である。
【図２】サッカーバー装置の背面斜視図である。
【図３】第１の運転モードの時の枚葉紙材料給紙装置を示す図である。
【図４】第２の運転モードの時の枚葉紙材料給紙装置を示す図である。
【符号の説明】
【００２６】
１０    サッカーバー装置
１２    主軸
１４    揺動軸線
１６    サッカーバー
１８    連結部材
２０    サッカー
２２    負圧装置
２４    制御器
３０    調節部材
３１，４８    止め具
３２，３４    ばね
４０    カム従動部
４２    カム従動部アーム
４４    ブロック
４５    変位部
４６    保持ばね
６０    枚葉紙材料パイル
６６    枚葉紙
７０    トレー
７２    案内部
７４    背面保持部
【図１】
2004338955.tif 000003
【図２】
2004338955.tif 000004
【図３】
2004338955.tif 000005
【図４】
2004338955.tif 000006